(57)【要約】【課題】搬送ベルトの交換を容易にする。【解決手段】第１ローラー３と、第２ローラー４と、第１ローラー３の軸方向における一方側及び他方側の端部Ｅ１及びＥ２と、第２ローラー４の軸方向における一方側及び他方側の端部Ｅ３及びＥ４と、を保持するフレーム部１５と、第１ローラー３及び第２ローラー４に架け渡され、媒体Ｍを支持して回転することで媒体Ｍを搬送する搬送ベルト５と、を備え、フレーム部１５は、本体部２２と、第１ローラー３の軸方向における一方側の端部Ｅ１を保持する第１保持部２３と、を有し、第１保持部２３は、第１ローラー３と一体となって本体部２２に対して着脱可能に構成されている搬送装置２０。【選択図】図２
2020121837.tif 000002
【特許請求の範囲】
【請求項１】
第１ローラーと、
第２ローラーと、
前記第１ローラーの軸方向における一方側及び他方側の端部と、前記第２ローラーの軸方向における一方側及び他方側の端部と、を保持するフレーム部と、
前記第１ローラー及び前記第２ローラーに架け渡され、媒体を支持して回転することで前記媒体を搬送する搬送ベルトと、
を備え、
前記フレーム部は、本体部と、前記第１ローラーの軸方向における一方側の端部を保持する第１保持部と、を有し、
前記第１保持部は、前記第１ローラーと一体となって前記本体部に対して着脱可能に構成されていることを特徴とする搬送装置。
【請求項２】
請求項１に記載の搬送装置において、
前記第１ローラーの軸方向における他方側の端部を保持する部分と、前記第１保持部に取り付けられる部分と、を有する第１梁部材が着脱可能に構成され、
前記第１梁部材を装着した状態で、前記第１ローラー及び前記第１保持部を前記本体部に対して着脱可能に構成されていることを特徴とする搬送装置。
【請求項３】
請求項１または２に記載の搬送装置において、
前記第１保持部は、前記搬送装置の設置場所で地面に接する接地部を有し、
前記設置場所で前記接地部が地面に接した状態で、前記第１ローラー及び前記第１保持部を前記本体部に対して着脱可能に構成されていることを特徴とする搬送装置。
【請求項４】
請求項１から３のいずれか１項に記載の搬送装置において、
前記フレーム部は、前記第１ローラーの軸方向における他方側の端部を保持する部分に、直径が前記第１ローラーの直径よりも小さい第１補助支持部を、前記第１ローラーの軸方向における他方側から一方側に向けて押し込み可能に構成されていることを特徴とする搬送装置。
【請求項５】
請求項１から４のいずれか１項に記載の搬送装置において、
前記フレーム部は、前記第２ローラーの軸方向における一方側の端部を保持する第２保持部を有し、
前記第２保持部は、前記第２ローラーと一体となって前記本体部に対して着脱可能に構成されていることを特徴とする搬送装置。
【請求項６】
請求項５に記載の搬送装置において、
前記第２ローラーの軸方向における他方側の端部を保持する部分と、前記第２保持部に取り付けられる部分と、を有する第２梁部材が着脱可能に構成され、
前記第２梁部材を装着した状態で、前記第２ローラー及び前記第２保持部を前記本体部に対して着脱可能に構成されていることを特徴とする搬送装置。
【請求項７】
請求項５または６に記載の搬送装置において、
前記第２保持部は、前記搬送装置の設置場所で地面に接する接地部を有し、
前記設置場所で前記接地部が地面に接した状態で、前記第２ローラー及び前記第２保持部を前記本体部に対して着脱可能に構成されていることを特徴とする搬送装置。
【請求項８】
請求項５から７のいずれか１項に記載の搬送装置において、
前記フレーム部は、前記第２ローラーの軸方向における他方側の端部を保持する部分に、直径が前記第２ローラーの直径よりも小さい第２補助支持部を、前記第２ローラーの軸方向における他方側から一方側に向けて押し込み可能に構成されていることを特徴とする搬送装置。
【請求項９】
請求項１から８のいずれか１項に記載の搬送装置と、
前記搬送ベルトで搬送される前記媒体に印刷を行う印刷部と、
を備えることを特徴とする印刷装置。
【請求項１０】
第１ローラーと、
第２ローラーと、
前記第１ローラーの軸方向における一方側及び他方側の端部と、前記第２ローラーの軸方向における一方側及び他方側の端部と、を保持するフレーム部と、
前記第１ローラー及び前記第２ローラーに架け渡され、媒体を支持して回転することで前記媒体を搬送する搬送ベルトと、
を備え、
前記フレーム部は、本体部と、前記第１ローラーの軸方向における一方側の端部を保持する第１保持部と、を有し、
前記第１保持部は、前記第１ローラーと一体となって前記本体部に対して着脱可能に構成されている搬送装置における搬送ベルトの交換方法であって、
一体となった前記第１保持部と前記第１ローラーとを前記搬送装置から脱離させた後に交換対象の搬送ベルトを前記搬送装置から取り外し、
一体となった前記第１保持部と前記第１ローラーとを前記搬送装置に装着する前に新たな搬送ベルトを前記搬送装置に取り付けることを特徴とする搬送ベルトの交換方法。
【発明の詳細な説明】
【技術分野】
【０００１】
本発明は、搬送装置、印刷装置及び搬送ベルトの交換方法に関する。
【背景技術】
【０００２】
従来から、様々な搬送装置が使用されている。このうち、複数のローラーに架け渡された搬送ベルトを用いて媒体を搬送する搬送装置がある。このような搬送装置においては、搬送ベルトを交換する場合がある。例えば、特許文献１には、２つのローラーに架け渡された搬送ベルトを備え、支台と支え軸とを利用して搬送ベルトを交換可能な画像形成装置が開示されている。
【先行技術文献】
【特許文献】
【０００３】
【特許文献１】特開２０１７−２１４７６６号公報
【発明の概要】
【発明が解決しようとする課題】
【０００４】
しかしながら、特許文献１の画像形成装置においては、搬送ベルトを交換する際、搬送ベルトを取り外すときに、２つのローラーに架け渡されていることでテンションが付与された状態の搬送ベルトを該２つのローラーから引き抜く必要がある。また、搬送ベルトを取り付けるときに、２つのローラーに架け渡すためにテンションを付与した状態を保ちながら搬送ベルトを該２つのローラーに嵌める必要がある。すなわち、複数のローラーが位置している状態で搬送ベルトを取り外したり取り付けたりすることは困難が伴う。このため、特許文献１の画像形成装置においては、搬送ベルトの交換が容易とは言えない。
【課題を解決するための手段】
【０００５】
上記課題を解決するための本発明の搬送装置は、第１ローラーと、第２ローラーと、前記第１ローラーの軸方向における一方側及び他方側の端部と、前記第２ローラーの軸方向における一方側及び他方側の端部と、を保持するフレーム部と、前記第１ローラー及び前記第２ローラーに架け渡され、媒体を支持して回転することで前記媒体を搬送する搬送ベルトと、を備え、前記フレーム部は、本体部と、前記第１ローラーの軸方向における一方側の端部を保持する第１保持部と、を有し、前記第１保持部は、前記第１ローラーと一体となって前記本体部に対して着脱可能に構成されていることを特徴とする。
【図面の簡単な説明】
【０００６】
【図１】本発明の実施例１に係る印刷装置の概略側面図。
【図２】本発明の実施例１に係る印刷装置における搬送装置の概略斜視図。
【図３】本発明の実施例１に係る印刷装置における搬送装置の第１保持部及び第１ローラーの概略正面図。
【図４】本発明の実施例１に係る印刷装置における搬送装置を用いて行う搬送ベルトの交換方法の一例のフローチャート。
【図５】本発明の実施例２に係る印刷装置における搬送装置の第１保持部及び第１ローラーの概略正面図。
【発明を実施するための形態】
【０００７】
最初に、本発明について概略的に説明する。  
上記課題を解決するための本発明の第１の態様の搬送装置は、第１ローラーと、第２ローラーと、前記第１ローラーの軸方向における一方側及び他方側の端部と、前記第２ローラーの軸方向における一方側及び他方側の端部と、を保持するフレーム部と、前記第１ローラー及び前記第２ローラーに架け渡され、媒体を支持して回転することで前記媒体を搬送する搬送ベルトと、を備え、前記フレーム部は、本体部と、前記第１ローラーの軸方向における一方側の端部を保持する第１保持部と、を有し、前記第１保持部は、前記第１ローラーと一体となって前記本体部に対して着脱可能に構成されていることを特徴とする。
【０００８】
本態様によれば、第１保持部と第１ローラーとが一体となって本体部に対して着脱可能に構成されている。すなわち、一体となった第１保持部と第１ローラーとを搬送装置から脱離させた後に交換対象の搬送ベルトを搬送装置から取り外し、一体となった第１保持部と第１ローラーとを搬送装置に装着する前に新たな搬送ベルトを搬送装置に取り付けることができる。このため、複数のローラーが位置している状態で搬送ベルトを取り外したり取り付けたりすることを避けることができ、搬送ベルトの交換を容易にすることができる。
【０００９】
本発明の第２の態様の搬送装置は、前記第１ローラーの軸方向における他方側の端部を保持する部分と、前記第１保持部に取り付けられる部分と、を有する第１梁部材が着脱可能に構成され、前記第１梁部材を装着した状態で、前記第１ローラー及び前記第１保持部を前記本体部に対して着脱可能に構成されていることを特徴とする。
【００１０】
本態様によれば、第１ローラーの軸方向における他方側の端部を保持する部分と、第１保持部に取り付けられる部分と、を有する第１梁部材を着脱可能なので、第１ローラーの着脱の際に第１梁部材を装着することで、第１梁部材で第１ローラーを支えながら第１ローラーを着脱できる。
【００１１】
本発明の第３の態様の搬送装置は、前記第１または第２の態様において、前記第１保持部は、前記搬送装置の設置場所で地面に接する接地部を有し、前記設置場所で前記接地部が地面に接した状態で、前記第１ローラー及び前記第１保持部を前記本体部に対して着脱可能に構成されていることを特徴とする。
【００１２】
本態様によれば、接地部を有することで、安定した状態で第１ローラーを本体部に対して着脱できる。
【００１３】
本発明の第４の態様の搬送装置は、前記第１から第３のいずれか１つの態様において、前記フレーム部は、前記第１ローラーの軸方向における他方側の端部を保持する部分に、直径が前記第１ローラーの直径よりも小さい第１補助支持部を、前記第１ローラーの軸方向における他方側から一方側に向けて押し込み可能に構成されていることを特徴とする。
【００１４】
本態様によれば、第１ローラーの軸方向における他方側の端部を保持する部分に、第１補助支持部を、第１ローラーの軸方向における他方側から一方側に向けて押し込むことで、容易に第１ローラーを本体部に対して脱離させることができる。
【００１５】
本発明の第５の態様の搬送装置は、前記第１から第４のいずれか１つの態様において、前記フレーム部は、前記第２ローラーの軸方向における一方側の端部を保持する第２保持部を有し、前記第２保持部は、前記第２ローラーと一体となって前記本体部に対して着脱可能に構成されていることを特徴とする。
【００１６】
本態様によれば、第１保持部と第１ローラーとが一体となって本体部に対して着脱可能に構成されているだけでなく、第２保持部と第２ローラーとが一体となって本体部に対して着脱可能に構成されている。このため、搬送ベルトの交換を特に容易にすることができる。
【００１７】
本発明の第６の態様の搬送装置は、前記第５の態様において、前記第２ローラーの軸方向における他方側の端部を保持する部分と、前記第２保持部に取り付けられる部分と、を有する第２梁部材が着脱可能に構成され、前記第２梁部材を装着した状態で、前記第２ローラー及び前記第２保持部を前記本体部に対して着脱可能に構成されていることを特徴とする。
【００１８】
本態様によれば、第２ローラーの軸方向における他方側の端部を保持する部分と、第２保持部に取り付けられる部分と、を有する第２梁部材が着脱可能なので、第２ローラーの着脱の際に第２梁部材を装着することで、第２梁部材で第２ローラーを支えながら第２ローラーを着脱できる。
【００１９】
本発明の第７の態様の搬送装置は、前記第５または第６の態様において、前記第２保持部は、前記搬送装置の設置場所で地面に接する接地部を有し、前記設置場所で前記接地部が地面に接した状態で、前記第２ローラー及び前記第２保持部を前記本体部に対して着脱可能に構成されていることを特徴とする。
【００２０】
本態様によれば、接地部を有することで、安定した状態で第２ローラーを本体部に対して着脱できる。
【００２１】
本発明の第８の態様の搬送装置は、前記第５から第７のいずれか１つの態様において、前記フレーム部は、前記第２ローラーの軸方向における他方側の端部を保持する部分に、直径が前記第２ローラーの直径よりも小さい第２補助支持部を、前記第２ローラーの軸方向における他方側から一方側に向けて押し込み可能に構成されていることを特徴とする。
【００２２】
本態様によれば、第２ローラーの軸方向における他方側の端部を保持する部分に、第２補助支持部を、第２ローラーの軸方向における他方側から一方側に向けて押し込むことで、容易に第２ローラーを本体部に対して脱離させることができる。
【００２３】
本発明の第９の態様の印刷装置は、前記第１から第８のいずれか１つの態様の搬送装置と、前記搬送ベルトで搬送される前記媒体に印刷を行う印刷部と、を備えることを特徴とする。
【００２４】
本態様によれば、搬送ベルトの交換が容易な印刷装置とすることができる。
【００２５】
本発明の第１０の態様の搬送ベルトの交換方法は、第１ローラーと、第２ローラーと、前記第１ローラーの軸方向における一方側及び他方側の端部と、前記第２ローラーの軸方向における一方側及び他方側の端部と、を保持するフレーム部と、前記第１ローラー及び前記第２ローラーに架け渡され、媒体を支持して回転することで前記媒体を搬送する搬送ベルトと、を備え、前記フレーム部は、本体部と、前記第１ローラーの軸方向における一方側の端部を保持する第１保持部と、を有し、前記第１保持部は、前記第１ローラーと一体となって前記本体部に対して着脱可能に構成されている搬送装置における搬送ベルトの交換方法であって、一体となった前記第１保持部と前記第１ローラーとを前記搬送装置から脱離させた後に交換対象の搬送ベルトを前記搬送装置から取り外し、一体となった前記第１保持部と前記第１ローラーとを前記搬送装置に装着する前に新たな搬送ベルトを前記搬送装置に取り付けることを特徴とする。
【００２６】
本態様によれば、一体となった第１保持部と第１ローラーとを搬送装置から脱離させた後に交換対象の搬送ベルトを搬送装置から取り外し、一体となった第１保持部と第１ローラーとを搬送装置に装着する前に新たな搬送ベルトを搬送装置に取り付ける。このため、複数のローラーが位置している状態で搬送ベルトを取り外したり取り付けたりすることを避けることができ、搬送ベルトの交換を容易にすることができる。
【００２７】
以下、添付図面を参照して、本発明に係る実施形態を説明する。  
［実施例１］（図１から図４）  
最初に、本発明の実施例１の印刷装置１の概要について図１を参照して説明する。
【００２８】
図１で表されるように、本実施例の印刷装置１は、ロール状の媒体Ｍをセットするセット部２を備えている。また、印刷装置１は、セット部２から送出された媒体Ｍを搬送方向Ａに搬送可能な搬送装置２０を備えている。搬送装置２０の詳細については後述するが、搬送装置２０は、搬送方向Ａの上流側に位置する第１ローラーとしての従動ローラー３と、搬送方向Ａの下流側に位置する第２ローラーとしての駆動ローラー４と、該従動ローラー３及び該駆動ローラー４に架け渡された無端ベルトである搬送ベルト５と、を備えている。なお、「第１ローラー」及び「第２ローラー」とは、便宜的に名づけただけであり、搬送方向Ａの上流側に位置するか下流側に位置するか、或いは、従動ローラーであるか駆動ローラーであるかに限定されない。すなわち、駆動ローラー４を第１ローラー、従動ローラー３を第２ローラーとして考えてもよい。同様に、搬送方向Ａの下流側に位置するローラーを第１ローラー、搬送方向Ａの上流側に位置するローラーを第２ローラーとして考えてもよい。また、印刷装置１は、搬送ベルト５を洗浄する洗浄部９と、搬送ベルト５を乾燥させるために送風する送風部１３と、を備えている。
【００２９】
ここで、搬送ベルト５は外側表面である支持面５ａに粘着剤が塗られた粘着性ベルトである。図１で表されるように、粘着剤が塗られた支持面５ａに媒体Ｍが貼り付けられた状態で、媒体Ｍは搬送ベルト５に支持されて搬送される。すなわち、搬送ベルト５は、媒体Ｍの支持部である。搬送ベルト５における媒体Ｍの支持領域は、従動ローラー３と駆動ローラー４とで架橋された上側の領域である。また、駆動ローラー４は不図示のモーターの駆動力により回転するローラーであり、従動ローラー３は駆動ローラー４を回転させることに伴う搬送ベルト５の回転に従動することで回転するローラーである。
【００３０】
また、印刷装置１は、搬送ベルト５の幅方向Ｂに延設されるガイド軸１４に沿って幅方向Ｂに往復移動可能なキャリッジ７と、キャリッジ７に取り付けられたヘッド８と、を備えている。ヘッド８は、搬送方向Ａに搬送される媒体Ｍに画像を印刷可能な印刷部として機能する。ヘッド８は、搬送ベルト５における媒体Ｍの支持領域と対向する位置に設けられ、インクを吐出可能である。このとき、搬送ベルト５における媒体Ｍの支持領域は、ヘッド８と対向する対向領域であると言える。なお、該対向領域における搬送ベルト５の下部には、搬送ベルト５を支えるプラテン１２が設けられている。本実施例の印刷装置１は、搬送方向Ａと交差する幅方向Ｂにキャリッジ７を往復移動させながら、搬送される媒体Ｍにヘッド８からインクを吐出して画像を印刷することが可能である。このような構成のキャリッジ７を備えていることにより、本実施例の印刷装置１は、所定の搬送量で媒体Ｍを搬送方向Ａに搬送させることと、媒体Ｍを停止した状態でキャリッジ７を幅方向Ｂに移動させながらインクを吐出させることと、を繰り返すことで、媒体Ｍに所望の画像を形成可能である。
【００３１】
なお、本実施例の印刷装置１は、媒体Ｍの所定量の搬送とキャリッジ７の往復移動とを交互に繰り返して印刷を行う所謂シリアルプリンターであるが、媒体Ｍの幅方向Ｂに沿ってライン状にノズルが形成されたラインヘッドを使用して、連続的に媒体Ｍを搬送しながら連続的に印刷を行う所謂ラインプリンターであってもよい。さらには、インクを吐出して印刷する所謂インクジェット方式の印刷部とは異なる構成の印刷部を備える印刷装置であってもよい。
【００３２】
また、キャリッジ７よりも搬送方向Ａの上流側における搬送ベルト５と対向する位置に、媒体貼り付け部６が形成されている。媒体貼り付け部６が幅方向Ｂに亘り媒体Ｍを搬送ベルト５に押し当てることで、皺などの発生が抑制された状態で媒体Ｍが搬送ベルト５に対して貼り付けられる。
【００３３】
画像が形成された媒体Ｍは、本実施例の印刷装置１から排出されると、本実施例の印刷装置１よりも後段に設けられた、媒体Ｍに吐出されたインクの成分を揮発させる乾燥装置や画像が形成された媒体Ｍを巻き取る巻取装置などに送られる。
【００３４】
ここで、媒体Ｍとしては、被捺染材を好ましく用いることができる。被捺染材とは、捺染の対象となる布地や、衣服や、その他の服飾製品等のことを言う。布地には、綿、絹、羊毛等の天然繊維やナイロン等の化学繊維あるいはこれらを混ぜた複合繊維の織物、編物、不織布等が含まれる。また、衣服や、その他の服飾製品には、縫製後のＴシャツ、ハンカチ、スカーフ、タオル、手提げ袋、布製のバッグ、カーテン、シーツ、ベッドカバー等のファニチャー類等の他、縫製前の状態のパーツとして存在する裁断前後の布地等も含まれる。
【００３５】
さらに、媒体Ｍとしては、上記被捺染材の他、普通紙、上質紙、及び光沢紙などのインクジェット印刷用専用紙等を用いることができる。また、媒体Ｍとしては、例えば、インクジェット印刷用に表面処理をしていない、すなわち、インク吸収層を形成していないプラスチックフィルム、並びに紙等の基材上にプラスチックがコーティングされているもの及びプラスチックフィルムが接着されているものも用いることができる。当該プラスチックとしては、特に限定されないが、例えば、ポリ塩化ビニル、ポリエチレンテレフタレート、ポリカーボネート、ポリスチレン、ポリウレタン、ポリエチレン、及びポリプロピレンが挙げられる。
【００３６】
媒体Ｍとして被捺染材を用いた場合、被捺染材は媒体Ｍに吐出されたインクが裏側の面まで滲む現象であるインクの裏抜けをし易いので、搬送ベルト５がインクで汚れる場合がある。そこで、本実施例の印刷装置１には、裏抜けして搬送ベルト５に付着したインクを洗浄するための洗浄部９を備えている。本実施例の洗浄部９は、洗浄液が浸されて搬送ベルト５と接触する３つの洗浄ブラシ１０と、洗浄ブラシ１０を搬送ベルト５に接触させることにより搬送ベルト５に付着した洗浄液をワイプする３つのブレードを有するブレード部１１と、を備えている。さらに、本実施例の印刷装置１は、ブレード部１１でワイプしきれなかった洗浄液を乾燥させることが可能な送風部１３を備えている。
【００３７】
本実施例の印刷装置１は、駆動ローラー４を回転方向Ｃ１に回転させることで媒体Ｍを搬送方向Ａに搬送可能である。また、印刷装置１は、駆動ローラー４を回転方向Ｃ１とは逆方向である回転方向Ｃ２に回転させることで媒体Ｍを搬送方向Ａとは逆の方向に搬送させることも可能である。
【００３８】
次に、本実施例の印刷装置１の要部である搬送装置２０の詳細な構成について図２及び図３を用いて詳細に説明する。なお、図３は、第１保持部２３及び第１ローラーとしての従動ローラー３の概略正面図である。ただし、本実施例の搬送装置２０においては、第２保持部２４及び第２ローラーとしての駆動ローラー４の形状は第１保持部２３及び従動ローラー３と同様である。このため、図３は、第２保持部２４及び駆動ローラー４の概略正面図としても考えることができる。
【００３９】
上記のように、本実施例の搬送装置２０は、第１ローラーとしての従動ローラー３と、第２ローラーとしての駆動ローラー４と、従動ローラー３及び駆動ローラー４架け渡され、媒体Ｍを支持して回転することで媒体Ｍを搬送する搬送ベルト５と、を備えている。そして、図２で表されるように、本実施例の搬送装置２０は、従動ローラー３の軸方向における一方側の端部Ｅ１及び他方側の端部Ｅ２と、駆動ローラー４の軸方向における一方側の端部Ｅ３及び他方側の端部Ｅ４と、を保持するフレーム部１５を備えている。
【００４０】
フレーム部１５は、従動ローラー３の端部Ｅ１及び駆動ローラー４の端部Ｅ３を保持するフレーム部１５Ａと、従動ローラー３の端部Ｅ２及び駆動ローラー４の端部Ｅ４を保持するフレーム部１５Ｂと、を有している。言い換えれば、フレーム部１５は、第１ローラー及び第２ローラーの軸方向における一方側の端部を保持するフレーム部１５Ａと、第１ローラー及び第２ローラーの軸方向における他方側の端部を保持するフレーム部１５Ｂと、を有している。そして、フレーム部１５は、フレーム部１５Ａとフレーム部１５Ｂとに挟まれる位置に、プラテン１２及びガイド軸１４などを有している。なお、図２で表されるように、ガイド軸１４は、無端ベルトである搬送ベルト５の外側に位置しているが、プラテン１２は、無端ベルトである搬送ベルト５の内側に位置している。
【００４１】
ここで、図２で表されるように、フレーム部１５Ａは、従動ローラー３の端部Ｅ１を保持する軸受け部１７の保持部と、キャスター１９を有し搬送装置２０の設置場所で地面に接する接地部１８と、を有する第１保持部２３を有している。また、フレーム部１５Ａは、駆動ローラー４の端部Ｅ３を保持する軸受け部２７の保持部と、キャスター２９を有し搬送装置２０の設置場所で地面に接する接地部２８と、を有する第２保持部２４を有している。そして、フレーム部１５Ｂは、従動ローラー３の端部Ｅ２を保持する軸受け部１６の保持部２５と、駆動ローラー４の端部Ｅ４を保持する軸受け部２６の保持部３５と、を有している。なお、軸受け部１６及び軸受け部１７は従動ローラー３の一部を構成していると考えることができ、軸受け部２６及び軸受け部２７は駆動ローラー４の一部を構成していると考えることができる。また、フレーム部１５のうちの、フレーム部１５Ａにおける第１保持部２３及び第２保持部２４以外の領域、並びに、フレーム部１５Ｂを、フレーム部１５における本体部２２と考えることができる。
【００４２】
ここで、図３で表されるように、第１保持部２３は、従動ローラー３と一体となって本体部２２に対して着脱可能に構成されている。具体的には、第１保持部２３と従動ローラー３とを一体的に幅方向Ｂのうちの方向Ｂ１に移動させることができる。第１保持部２３と従動ローラー３とを方向Ｂ１に移動させることで、第１保持部２３と従動ローラー３とを搬送装置２０から脱離させることができる。また、第１保持部２３と従動ローラー３とを方向Ｂ１とは反対方向に移動させることで、第１保持部２３と従動ローラー３とを搬送装置２０に装着することができる。本実施例の搬送装置２０は、このような構成であるため、一体となった第１保持部２３と従動ローラー３とを搬送装置２０から脱離させた後に交換対象の搬送ベルト５を搬送装置２０から取り外し、一体となった第１保持部２３と従動ローラー３とを搬送装置２０に装着する前に新たな搬送ベルト５を搬送装置２０に取り付けることができる。すなわち、本実施例の搬送装置２０は、複数のローラーが位置している状態で搬送ベルト５を取り外したり取り付けたりすることを避けることができ、搬送ベルト５の交換を容易にすることができる。
【００４３】
また、本実施例の印刷装置１は、このような構成の搬送装置２０と、搬送ベルト５で搬送される媒体Ｍに印刷を行うヘッド８と、を備えているので、搬送ベルト５の交換が容易な印刷装置１とすることができている。
【００４４】
また、上記のように、第２保持部２４及び第２ローラーとしての駆動ローラー４の形状は、第１保持部２３及び従動ローラー３と同様である。したがって、フレーム部１５Ａは、駆動ローラー４の端部Ｅ３を保持する第２保持部２４を有し、第２保持部２４は、駆動ローラー４と一体となって本体部２２に対して着脱可能に構成されていると言える。このように、本実施例の搬送装置２０は、第１保持部２３と従動ローラー３とが一体となって本体部２２に対して着脱可能に構成されているだけでなく、第２保持部２４と駆動ローラー４とが一体となって本体部２２に対して着脱可能に構成されているため、搬送ベルト５の交換を特に容易にすることができる構成になっている。ただし、第１保持部２３と従動ローラー３又は第２保持部２４と駆動ローラー４の一方が一体となって本体部２２に対して着脱可能な構成であれば、複数のローラーが位置している状態で搬送ベルト５を取り外したり取り付けたりすることを避けることができるので、本実施例の構成に限定されない。すなわち、第１保持部２３と従動ローラー３又は第２保持部２４と駆動ローラー４の一方が一体となって本体部２２に対して着脱可能な構成でもよい。
【００４５】
また、図３で表されるように、本実施例の搬送装置２０は、従動ローラー３の軸方向における他方側の端部Ｅ２を保持する部分と、第１保持部２３に取り付けられる部分と、を有する第１梁部材２１が着脱可能に構成されている。そして、搬送装置２０は、第１梁部材２１を装着した状態で、従動ローラー３及び第１保持部２３を本体部２２に対して着脱可能に構成されている。このように、本実施例の搬送装置２０は、従動ローラー３の軸方向における他方側の端部Ｅ２を保持する部分と、第１保持部２３に取り付けられる部分と、を有する第１梁部材２１を着脱可能な構成なので、従動ローラー３の着脱の際に第１梁部材２１を装着することで、第１梁部材２１で従動ローラー３を支えながら従動ローラー３を着脱できる。別の表現をすると、第１梁部材２１は、従動ローラー３の端部Ｅ２で発生する荷重を第１保持部２３に伝達するように搬送装置２０に装着されることで、一体となった第１保持部２３と従動ローラー３とを搬送装置２０から脱離させる際に軸受け部１７に過度の負荷がかかることを抑制している。なお、本実施例において、第１梁部材２１は搬送ベルト５の交換作業のときのみ搬送装置２０に装着するものであり、それ以外のときは搬送装置２０から取り外された状態で別途保管されている。ただし、第１梁部材２１を搬送装置２０に常時備え付ける構成としてもよい。
【００４６】
また、上記のように、本実施例の搬送装置２０においては、第２保持部２４及び駆動ローラー４の形状は第１保持部２３及び従動ローラー３と同様である。このため、図３で表されるように、本実施例の搬送装置２０は、駆動ローラー４の軸方向における他方側の端部Ｅ４を保持する部分と、第２保持部２４に取り付けられる部分と、を有する第２梁部材３１が着脱可能に構成されている。そして、搬送装置２０は、第２梁部材３１を装着した状態で、駆動ローラー４及び第２保持部２４を本体部２２に対して着脱可能に構成されていると表現できる。このように、本実施例の搬送装置２０は、駆動ローラー４の軸方向における他方側の端部Ｅ４を保持する部分と、第２保持部２４に取り付けられる部分と、を有する第２梁部材３１を着脱可能な構成なので、駆動ローラー４の着脱の際に第２梁部材３１を装着することで、第２梁部材３１で駆動ローラー４を支えながら駆動ローラー４を着脱できる。別の表現をすると、第２梁部材３１は、駆動ローラー４の端部Ｅ４で発生する荷重を第２保持部２４に伝達するように搬送装置２０に装着されることで、一体となった第２保持部２４と駆動ローラー４とを搬送装置２０から脱離させる際に軸受け部２７に過度の負荷がかかることを抑制している。なお、本実施例において、第２梁部材３１は搬送ベルト５の交換作業のときのみ搬送装置２０に装着するものであり、それ以外のときは搬送装置２０から取り外された状態で別途保管されている。ただし、第２梁部材３１を搬送装置２０に常時備え付ける構成としてもよい。
【００４７】
また、図２及び図３で表されるように、本実施例の搬送装置２０においては、第１保持部２３は、搬送装置２０の設置場所で地面に接する接地部１８を有し、搬送装置２０の設置場所で接地部１８が地面に接した状態で、従動ローラー３及び第１保持部２３を本体部２２に対して着脱可能に構成されている。このように、本実施例の搬送装置２０は、接地部１８を有することで、安定した状態で従動ローラー３を本体部２２に対して着脱できる。
【００４８】
また、上記のように、本実施例の搬送装置２０においては、第２保持部２４及び駆動ローラー４の形状は第１保持部２３及び従動ローラー３と同様である。このため、図２及び図３で表されるように、本実施例の搬送装置２０においては、第２保持部２４は、搬送装置２０の設置場所で地面に接する接地部２８を有し、搬送装置２０の設置場所で接地部２８が地面に接した状態で、駆動ローラー４及び第２保持部２４を本体部２２に対して着脱可能に構成されていると表現できる。このように、本実施例の搬送装置２０は、接地部２８を有することで、安定した状態で駆動ローラー４を本体部２２に対して着脱できる。
【００４９】
また、図２で表されるように、本実施例の搬送装置２０は、フレーム部１５として、フレーム部１５Ａとフレーム部１５Ｂとを有している。そして、プラテン１２及びガイド軸１４の一端はフレーム部１５Ａに接続され、他端はフレーム部１５Ｂに接続されている。このような構成により、フレーム部１５Ｂに対してフレーム部１５Ａの位置調整をすることでプラテン１２及びガイド軸１４の位置調整をすることが可能となっており、プラテン１２及びガイド軸１４の位置調整を容易にしている。また、フレーム部１５Ｂに対して第１保持部２３の位置調整をすることで従動ローラー３の位置調整ができ、従動ローラー３の位置調整を容易にしているとともに、フレーム部１５Ｂに対して第２保持部２４の位置調整をすることで駆動ローラー４の位置調整ができ、駆動ローラー４の位置調整を容易にしている。
【００５０】
次に、本実施例の搬送装置２０を用いて行う搬送ベルトの交換方法の一実施例について図４のフローチャートを用いて説明する。
【００５１】
本実施例の搬送ベルトの交換方法においては、最初に、ステップＳ１１０で、事前準備を行う。具体的には、例えば、第１梁部材２１及び第２梁部材３１を装着することや、搬送ベルト５の内部に位置するプラテン１２を取り外すことなどが挙げられる。
【００５２】
次に、ステップＳ１２０で、図３で表されるように、第１保持部２３と従動ローラー３とを一体的に方向Ｂ１に移動させることで、第１保持部２３と従動ローラー３とを搬送装置２０から脱離させる。
【００５３】
次に、ステップＳ１３０で、第１保持部２３と従動ローラー３とを搬送装置２０から脱離させたのと同様な方法で、第２保持部２４と駆動ローラー４とを搬送装置２０から脱離させる。なお、この際、交換対象の搬送ベルト５も駆動ローラー４に架けられた状態で同時に搬送装置２０から取り外す。ただし、第２保持部２４と駆動ローラー４とを搬送装置２０から脱離させるステップと、交換対象の搬送ベルト５を搬送装置２０から取り外すステップと、を別のステップとしてもよい。
【００５４】
次に、ステップＳ１４０で、第２保持部２４と一体となっている駆動ローラー４に新たな搬送ベルト５を架けた状態として、第２保持部２４と駆動ローラー４とを一体的に方向Ｂ１とは反対方向に移動させることで、第２保持部２４と駆動ローラー４とを搬送装置２０に装着する。本ステップにより、新たな搬送ベルト５が搬送装置２０に取り付けられる。
【００５５】
そして、ステップＳ１５０で、第１保持部２３と一体となっている従動ローラー３を、従動ローラー３が新たな搬送ベルト５の内部に位置するようにして、方向Ｂ１とは反対方向に移動させることで、第１保持部２３と従動ローラー３とを搬送装置２０に装着する。第１保持部２３と従動ローラー３とを搬送装置２０に装着することで本実施例の搬送ベルトの交換方法を終了する。なお、ステップＳ１５０の終了後、第１梁部材２１及び第２梁部材３１を脱離することや、搬送ベルト５の内部にプラテン１２を取り付けることなどを行うことができる。
【００５６】
上記のように、本実施例の搬送ベルトの交換方法は、本実施例の搬送装置２０における搬送ベルトの交換方法であって、一体となった第１保持部２３と従動ローラー３とを搬送装置２０から脱離させた後に交換対象の搬送ベルト５を搬送装置２０から取り外し、一体となった第１保持部２３と従動ローラー３とを搬送装置２０に装着する前に新たな搬送ベルト５を搬送装置２０に取り付ける。このため、複数のローラーが位置している状態で搬送ベルト５を取り外したり取り付けたりすることを避けることができ、搬送ベルト５の交換を容易にすることができる。
【００５７】
［実施例２］（図５）  
次に、実施例２の印刷装置１について説明する。
【００５８】
図５は本実施例の印刷装置１の要部である搬送装置２０を説明するための図であり、実施例１の印刷装置１の図３に対応する図である。具体的には、図５は、第１保持部２３及び第１ローラーとしての従動ローラー３の概略正面図である。ただし、本実施例の搬送装置２０においては、第２保持部２４及び第２ローラーとしての駆動ローラー４の形状は第１保持部２３及び従動ローラー３と同様である。このため、図５は、第２保持部２４及び駆動ローラー４の概略正面図としても考えることができる。ここで、本実施例の印刷装置１は、搬送装置２０以外の構成は実施例１の印刷装置１と同様の構成であるため、構成が共通する部分における説明は省略する。なお、上記実施例１と共通する構成部材は同じ符号で示しており、詳細な説明は省略する。
【００５９】
図５で表されるように、本実施例の搬送装置２０において、フレーム部１５は、従動ローラー３の軸方向における他方側の端部Ｅ２を保持する部分である保持部２５に、直径が従動ローラー３の直径よりも小さい棒状の第１補助支持部３０を、従動ローラー３の軸方向における他方側から一方側に向けて、すなわち方向Ｂ１に押し込み可能に構成されている。このため、本実施例の搬送装置２０は、従動ローラー３の軸方向における他方側の端部Ｅ２を保持する部分である保持部２５に、棒状の第１補助支持部３０を、従動ローラー３の軸方向における他方側から一方側に向けて押し込むことで、容易に従動ローラー３を本体部２２に対して脱離させることができる。ここで、第１補助支持部３０は、端部Ｅ２を保持する部分である保持部２５に通されて軸受け部１６に接続されることで、一体となった第１保持部２３と従動ローラー３とを搬送装置２０から脱離させる際に軸受け部１７に過度の負荷がかかることを抑制している。また、本実施例の搬送装置２０は、搬送ベルト５を取り外す際、第１補助支持部３０に一時的に搬送ベルト５を支持させることができ、搬送ベルト５の交換を特に容易としている。このとき、第１補助支持部３０の直径は従動ローラー３の直径よりも小さいため、第１補助支持部３０に支持された搬送ベルト５を取り外す作業は、従動ローラー３に支持された搬送ベルト５を取り外す作業と比べて容易な作業となる。例えば、搬送ベルト５は、従動ローラー３及び駆動ローラー４に架け渡された状態よりも、第１補助支持部３０及び駆動ローラー４に架け渡された状態の方が、取り外しやすくなる。
【００６０】
また、上記のように、本実施例の搬送装置２０においては、第２保持部２４及び駆動ローラー４の形状は第１保持部２３及び従動ローラー３と同様である。このため、フレーム部１５は、駆動ローラー４の軸方向における他方側の端部Ｅ４を保持する部分である保持部３５に、直径が駆動ローラー４の直径よりも小さい棒状の第２補助支持部３６を、駆動ローラー４の軸方向における他方側から一方側に向けて、すなわち方向Ｂ１に押し込み可能に構成されている。このため、本実施例の搬送装置２０は、駆動ローラー４の軸方向における他方側の端部Ｅ４を保持する部分である保持部３５に、棒状の第２補助支持部３６を、駆動ローラー４の軸方向における他方側から一方側に向けて押し込むことで、容易に駆動ローラー４を本体部２２に対して脱離させることができる。ここで、第２補助支持部３６は、端部Ｅ４を保持する部分である保持部３５に通されて軸受け部１６に接続されることで、一体となった第２保持部２４と駆動ローラー４とを搬送装置２０から脱離させる際に軸受け部２７に過度の負荷がかかることを抑制している。また、本実施例の搬送装置２０は、搬送ベルト５を取り外す際、第２補助支持部３６に一時的に搬送ベルト５を支持させることができ、搬送ベルト５の交換を特に容易としている。このとき、第２補助支持部３６の直径は駆動ローラー４の直径よりも小さいため、第２補助支持部３６に支持された搬送ベルト５を取り外す作業は、駆動ローラー４に支持された搬送ベルト５を取り外す作業と比べて容易な作業となる。例えば、搬送ベルト５は、従動ローラー３及び駆動ローラー４に架け渡された状態よりも、従動ローラー３及び第２補助支持部３６に架け渡された状態の方が、取り外しやすくなる。  
また、搬送ベルト５を、第１補助支持部３０及び第２補助支持部３６に架け渡した状態とすれば、上述した他の状態よりも、さらに搬送ベルト５が取り外しやすくなる。これは、搬送ベルト５を支持する物体の直径を小さくすることで、搬送ベルト５のテンションが緩むためである。なお、「上述した他の状態」とは、具体的には、搬送ベルト５が従動ローラー３及び駆動ローラー４に架け渡された状態、搬送ベルト５が第１補助支持部３０及び駆動ローラー４に架け渡された状態、及び、搬送ベルト５が従動ローラー３及び第２補助支持部３６に架け渡された状態のことである。
【００６１】
なお、本発明は上記実施例に限定されることなく、特許請求の範囲に記載した発明の範囲内で種々の変形が可能であり、それらも本発明の範囲内に含まれることは言うまでもない。
【符号の説明】
【００６２】
１…印刷装置、２…セット部、３…従動ローラー（第１ローラー）、
４…駆動ローラー（第２ローラー）、５…搬送ベルト、５ａ…支持面、
６…媒体貼り付け部、７…キャリッジ、８…ヘッド（印刷部）、９…洗浄部、
１０…洗浄ブラシ、１１…ブレード部、１２…プラテン、１３…送風部、
１４…ガイド軸、１５…フレーム部、１５Ａ…フレーム部、１５Ｂ…フレーム部、
１６…軸受け部、１７…軸受け部、１８…接地部、１９…キャスター、
２０…搬送装置、２１…第１梁部材、２２…本体部、２３…第１保持部、
２４…第２保持部、２５…保持部（端部Ｅ２を保持する部分）、２６…軸受け部、
２７…軸受け部、２８…接地部、２９…キャスター、３０…第１補助支持部、
３１…第２梁部材、３５…保持部（端部Ｅ４を保持する部分）、３６…第２補助支持部、
Ｅ１…端部、Ｅ２…端部、Ｅ３…端部、Ｅ４…端部、Ｍ…媒体
【図１】
2020121837.tif 000003
【図２】
2020121837.tif 000004
【図３】
2020121837.tif 000005
【図４】
2020121837.tif 000006
【図５】
2020121837.tif 000007